(57)【特許請求の範囲】
【請求項１】
原稿搬送装置と画像読み取り装置とを備え、
前記画像読み取り装置は、原稿を搬送してスキャンするためのスリットガラスと、原稿を固定してスキャンするためのプラテンガラスとを有し、
前記原稿搬送装置は、前記スリットガラスと前記プラテンガラスのガラス面上に設置される画像形成装置において、
前記ガラス面を挟んで一方側に操作部を有し、他方側に前記ガラス面に対して前記原稿搬送装置を開閉可能なヒンジを有し、
第１の傾斜角度のストッパ面を有する第１ストッパ部と、前記第１の傾斜角度とは異なる第２の傾斜角度のストッパ面を有する第２ストッパ部とを備えた角度ストッパが、前記ヒンジに取り付け向きを変えて取り付け可能であり、前記取り付け向きに応じて前記原稿搬送装置の前記ガラス面に対する最大開き角度が異なることを特徴とする画像形成装置。
【発明の詳細な説明】
【０００１】
【発明の属する技術分野】
この発明は、電子写真複写機、プリンタ、ファクシミリ、これらの複数の機能を有する複合機や印刷機等の画像形成装置により画像を形成するために、原稿を搬送して画像読み込みを可能とする画像形成装置に関するものである。
【０００２】
【従来の技術】
このようなデジタル式の画像形成装置には、原稿搬送装置と画像読み取り装置とを備え、画像読み取り装置は、原稿を搬送してスキャンするためのスリットガラスと、原稿を固定してスキャンするためのプラテンガラスとを有し、原稿搬送装置は、スリットガラスとプラテンガラスのガラス面上に設置され、原稿搬送装置で給紙皿上に積載された原稿を１枚ずつ分離して搬送し、原稿を画像読み取り装置で読み取り可能なものがある。
【０００３】
【発明が解決しようとする課題】
このような画像形成装置では、原稿搬送装置がガラス面に対して開閉可能であり、原稿搬送装置を開いて原稿をスリットガラスとプラテンガラスのガラス面上において原稿を画像読み取り装置で読み取ることがあるが、例えば車椅子使用者等、ユーザーの条件によっては原稿搬送装置が開きすぎて操作ができない。
【０００４】
この発明は、かかる点に鑑みなされたもので、部品を交換することなく、原稿搬送装置の開き角度を選択できる画像形成装置を提供することを目的とするものである。
【０００５】
【課題を解決するための手段】
前記課題を解決し、かつ目的を達成するために、この発明は、以下のように構成した。
【０００６】
請求項１に記載の発明は、『原稿搬送装置と画像読み取り装置とを備え、
前記画像読み取り装置は、原稿を搬送してスキャンするためのスリットガラスと、原稿を固定してスキャンするためのプラテンガラスとを有し、
前記原稿搬送装置は、前記スリットガラスと前記プラテンガラスのガラス面上に設置される画像形成装置において、
前記ガラス面を挟んで一方側に操作部を有し、他方側に前記ガラス面に対して前記原稿搬送装置を開閉可能なヒンジを有し、
第１の傾斜角度のストッパ面を有する第１ストッパ部と、前記第１の傾斜角度とは異なる第２の傾斜角度のストッパ面を有する第２ストッパ部とを備えた角度ストッパが、前記ヒンジに取り付け向きを変えて取り付け可能であり、前記取り付け向きに応じて前記原稿搬送装置の前記ガラス面に対する最大開き角度が異なることを特徴とする画像形成装置。』である。
【０００７】
この請求項１に記載の発明によれば、傾斜角度の異なる第１と第２ストッパ面を有する角度ストッパの取り付け向きを変えることで、原稿搬送装置の最大開き角度を変更でき、例えば車椅子使用者等、通常の開き角度だと開き過ぎで操作困難な場合、狭い角度の開き角度に変更できる。
【０００９】
また、角度ストッパの取り付け向きを変えることで原稿搬送装置の開き角度を変更可能であり、原稿搬送装置の開き角度の変更が部品を交換することなく、角度ストッパにより容易にできる。」
【００１０】
【発明の実施の形態】
次に、この発明の原稿搬送装置を備えた画像形成装置の実施の形態を図面に基づいて説明するが、この発明は、この実施の形態に限定されない。
【００１１】
図１は用紙後処理装置ＦＳと原稿搬送装置ＤＦと画像読み取り装置（スキャナ）ＳＣとを装備した画像形成装置１の全体構成図である。
【００１２】
図示の画像形成装置本体１Ａは、画像処理部２、画像書き込み部３、画像形成部４、高圧電源部５、カセット給紙部６、定着装置７、排紙部８、自動両面コピーのための再搬送手段（ＡＤＵ）９を備えている。
【００１３】
画像形成装置本体１Ａの上部には、画像読み取り装置ＳＣと原稿搬送装置ＤＦが搭載されている。画像形成装置本体１Ａの図示の左上部の排紙部８側には、用紙後処理装置ＦＳが連結されている。
【００１４】
画像読み取り装置ＳＣは、原稿を搬送してスキャンするためのスリットガラス５００と、原稿を固定でスキャンするためのプラテンガラス５０１とを有し、  原稿搬送装置ＤＦは、スリットガラス５００とプラテンガラス５０１のガラス面上に設置される。
【００１５】
原稿搬送装置ＤＦの原稿台上に第１面を上向きにして載置された原稿ｄは、矢印方向に搬送され画像読み取り装置ＳＣの光学系により原稿の片面又は両面の画像が読み取られ、ＣＣＤイメージセンサＣ１に読み込まれる。
【００１６】
ＣＣＤイメージセンサＣ１により光電変換されたアナログ信号は、画像処理部２において、アナログ処理、Ａ／Ｄ変換、シェーディング補正、画像圧縮処理等を行った後、画像書き込み部３に信号を送る。
【００１７】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われ、カセット給紙部６から搬送された用紙Ｓに画像が転写される。画像を担持した用紙Ｓは、定着装置７により定着され、排紙部８から用紙後処理装置ＦＳに送り込まれる。或いは排紙路切り替え板８Ａにより再搬送手段９に送り込まれた片面画像処理済みの用紙Ｓは、再び画像形成部４において両面画像処理された後、排紙部８の排紙ローラ８Ｂにより用紙後処理装置ＦＳに送り込まれる。
【００１８】
用紙後処理装置ＦＳは、画像形成装置本体１Ａの左上部に着脱可能に装着される。用紙後処理装置ＦＳは、用紙搬送手段１０、排紙手段２０、後処理手段３０、昇降排紙手段４０からなり、これらは用紙後処理装置本体４５に配置される。
【００１９】
図１において、画像形成装置本体１Ａ内の右寄り側には、画像形成部４を中心にして、画像形成装置本体１Ａの高さ方向下方にカセット給紙部６が、上方に定着装置７、排紙部８が設けられている。この垂直配列構成により、ほぼ垂直方向の用紙搬送路▲１▼が形成される。カセット給紙部６から送り出された用紙Ｓは、この垂直上方の用紙搬送路▲１▼に沿って搬送されて画像形成装置本体１Ａ外に排出される。
【００２０】
この垂直方向用紙搬送路▲１▼にほぼ平行して、再搬送手段９による用紙搬送路▲２▼が形成されている。
【００２１】
上記の垂直方向の用紙搬送路▲１▼、▲２▼を形成することにより、カセット給紙部６から排紙部８に至る最短距離の用紙搬送路が構成される。
【００２２】
画像形成装置本体１Ａの図示の上方の空間部に用紙後処理装置ＦＳの用紙搬送手段１０が収容される。用紙搬送手段１０の用紙入口部１１は、画像形成装置本体１Ａの排紙部８の排紙ローラ８Ｂに接続する。また、この装着状態では、画像形成装置本体１Ａの図示の左上方の空間部に、用紙後処理装置ＦＳの排紙手段２０及び後処理手段３０が収容される。複数の排紙皿（ビンとも称す）４１と昇降駆動手段４２から成る昇降排紙手段４０は、後処理手段３０の図示左側に位置する。
【００２３】
次に、図２乃至図６に基づいて原稿搬送装置の開き角度を説明する。図２は原稿搬送装置の平面図、図３は原稿搬送装置の開き状態を示す図、図４は第１の開き角度のヒンジと角度ストッパを示す図、図５は第２の開き角度のヒンジと角度ストッパを示す図、図６は角度ストッパを示す図である。
【００２４】
この画像形成装置１は、スリットガラス５００とプラテンガラス５０１のガラス面を挟んで一方側に操作部１ｆと表示部１ｇを有し、他方側にガラス面に対して原稿搬送装置ＤＦを開閉可能なヒンジ５０３を有している。
【００２５】
このように操作部１ｆと表示部１ｇは、画像形成装置１の手前側に配置され、ヒンジ５０３は画像形成装置１の奥側に配置され、ユーザーは画像形成装置１の手前側に位置して原稿搬送装置ＤＦをヒンジ５０３により奥側支点で開閉する。
【００２６】
ヒンジ５０３は、図４及び図５に示すように、固定部材５０４と可動部材５０５とが支持軸５０６で連結されている。ヒンジ５０３の固定部材５０４が画像形成装置本体１Ａに取り付けられ、可動部材５０５が原稿搬送装置ＤＦに取り付けられ、原稿搬送装置ＤＦが支持軸５０６を支点で開閉する。
【００２７】
ヒンジ５０３の固定部材５０４には、角度ストッパ５１０が取り付けられる。この角度ストッパ５１０は、図６に示すように板金で一体形成され、取付部５１０ａと、第１ストッパ部５１０ｂと、第２ストッパ部５１０ｃとを有し、取付部５１０ａには取付孔５１０ｄが形成されている。
【００２８】
第１ストッパ部５１０ｂはストッパ面５１０ｂ１を有し、第２ストッパ部５１０ｃはストッパ面５１０ｃ１を有し、取付部５１０ａの取付面５１０ａ１と直交する面に対するストッパ面５１０ｂ１の傾斜角度θ１が、取付部５１０ａの取付面５１０ａ１と直交する面に対するストッパ面５１０ｃ１の傾斜角度θ２より小さく設定されている。
【００２９】
この角度ストッパ５１０を図４に示すように、第１ストッパ部５１０ｂを上側にしてヒンジ５０３の固定部材５０４に当てがい、ビス５３０を取付孔５１０ｄに挿通して螺着することで、角度ストッパ５１０をヒンジ５０３に締付固定する。この角度ストッパ５１０の取付状態では、原稿搬送装置ＤＦをヒンジ５０３の奥側支点で開くと、可動部材５０５の端部５０５ａが第１ストッパ部５１０ｂのストッパ面５１０ｂ１に当接し、原稿搬送装置ＤＦが大きく開いた第１の開き位置になる。
【００３０】
この角度ストッパ５１０を図５に示すように、第２ストッパ部５１０ｃを上側にしてヒンジ５０３の固定部材５０４に当てがい、ビス５３０を取付孔５１０ｄに挿通して螺着することで、角度ストッパ５１０をヒンジ５０３に締付固定する。この角度ストッパ５１０の取付状態では、原稿搬送装置ＤＦをヒンジ５０３の奥側支点で開くと、可動部材５０５の端部５０５ａが第２ストッパ部５１０ｃのストッパ面５１０ｃ１に当接し、原稿搬送装置ＤＦが小さく開いた第２の開き位置になる。
【００３１】
このように、原稿搬送装置ＤＦの開き角度を定めた２種の位置から１を選択して止める角度ストッパ５１０を備えることで、例えば車椅子使用者等、通常の開き角度だと開き過ぎで操作困難な場合、狭い角度の開き角度に変更できる。
【００３２】
また、角度ストッパ５１０は、取り付け方向を変えることで原稿搬送装置ＤＦの開き角度を変更可能であり、原稿搬送装置ＤＦの開き角度の変更が部品を交換することなく、角度ストッパ５１０により容易にできる。
【００３３】
なお、この実施の形態では、角度ストッパ５１０が第１ストッパ部５１０ｂ、第２ストッパ部５１０ｃの２個のストッパ部が形成されているが、２個以上設けてもよく、角度ストッパ５１０は原稿搬送装置ＤＦの開き角度を定めた２種以上の位置から１を選択して止めるように構成する。
【００３４】
【発明の効果】
この発明によれば、傾斜角度の異なる第１と第２ストッパ面を有する角度ストッパの取り付け向きを変えることで、原稿搬送装置の最大開き角度を変更でき、例えば車椅子使用者等、通常の開き角度だと開き過ぎで操作困難な場合、狭い角度の開き角度に変更できる。
【００３５】
また、この発明によれば、角度ストッパの取り付け向きを変えることで原稿搬送装置の開き角度を変更可能であり、原稿搬送装置の開き角度の変更が部品を交換することなく、角度ストッパにより容易にできる。
【図面の簡単な説明】
【図１】用紙後処理装置と原稿搬送装置と画像読み取り装置を装備した画像形成装置の全体構成図である。
【図２】原稿搬送装置の平面図である。
【図３】原稿搬送装置の開き状態を示す図である。
【図４】第１の開き角度のヒンジと角度ストッパを示す図である。
【図５】第２の開き角度のヒンジと角度ストッパを示す図である。
【図６】角度ストッパを示す図である。
【符号の説明】
ＤＦ  原稿搬送装置
ＳＣ  画像読み取り装置
１  画像形成装置
１Ａ  画像形成装置本体
１ｆ  操作部
５００  スリットガラス
５０１  プラテンガラス
５０３  ヒンジ
５１０  角度ストッパ
ｄ  原稿
【図１】
0004056235.tif 000002
【図２】
0004056235.tif 000003
【図３】
0004056235.tif 000004
【図４】
0004056235.tif 000005
【図５】
0004056235.tif 000006
【図６】
0004056235.tif 000007